(57)【要約】【課題】立体映像を観察できるだけでなく屈折補正の機能を併せ持つ立体映像観察用眼鏡を提供することを目的とする。【解決手段】立体映像観察用眼鏡１は、立体映像を観察可能な立体映像観察用レンズ３Ｌ，３Ｒと、フレーム本体２と、使用者に応じた処方度数を有する屈折補正用レンズ４Ｌ，４Ｒとを備えている。屈折補正用レンズ４Ｌ，４Ｒは、立体映像観察用レンズ３Ｌ，３Ｒにおける使用者側の一面３ａ又は表示部側の他面３ｂのうち少なくともどちらか一方に設けられる。そして、屈折補正用レンズ４Ｌ，４Ｒにおける立体映像観察用レンズ３Ｌ，３Ｒの一面３ａ又は他面３ｂと対向する対向面４ａは、立体映像観察用レンズ３Ｌ，３Ｒにおける対向する面に沿った形状に形成されている。【選択図】図１
2012078670.tif 000002
【特許請求の範囲】
【請求項１】
表示部に表示された立体映像を観察可能な立体映像観察用レンズと、
前記立体映像観察用レンズを保持するフレーム本体と、
前記立体映像観察用レンズにおける使用者側の一面又は表示部側の他面のうち少なくともどちらか一方に設けられ、前記使用者に応じた処方度数を有する屈折補正用レンズと、を備え、
前記屈折補正用レンズにおける前記立体映像観察用レンズと対向する対向面は、前記立体映像観察用レンズにおける対向する面に沿った形状に形成されている
立体映像観察用眼鏡。
【請求項２】
前記屈折補正用レンズは、前記立体映像観察用レンズの前記一面側に設けられ、
前記対向面と反対側の面は、凹面状に形成されている
請求項１に記載の立体映像観察用眼鏡。
【請求項３】
前記屈折補正用レンズは、前記立体映像観察用レンズの前記他面側に設けられ
前記対向面と反対側の面は、凸面状に形成されている
請求項１又は２に記載の立体映像観察用眼鏡。
【請求項４】
凸面状に形成された面を有する前記屈折補正用レンズは、累進屈折レンズ又は多焦点レンズである
請求項３に記載の立体映像観察用眼鏡。
【請求項５】
前記屈折補正用レンズには、係合部が設けられており、
前記フレーム本体には、前記係合部と係合する係合爪が設けられている
請求項１〜４のいずれかに記載の立体映像観察用眼鏡。
【請求項６】
前記屈折補正用レンズと前記立体映像観察用レンズとの間には、前記屈折補正用レンズと前記立体映像観察用レンズを密着させる充填剤が設けられている
請求項１〜５のいずれかに記載の立体映像観察用眼鏡。
【請求項７】
前記屈折補正用レンズの光学中心は、使用者の目の位置に合わせて調節されている
請求項１〜６のいずれかに記載の立体映像観察用眼鏡。
【発明の詳細な説明】
【技術分野】
【０００１】
本発明は、立体映像表示装置によって表示された映像を立体映像として観察する立体映像観察用眼鏡に関するものである。
【背景技術】
【０００２】
近年、放送技術の進展に伴い、３Ｄ（立体）映像の放送が実用化されている。そして、３Ｄ映像は、観察者の左右の目に視差をつけた異なる画像を表示することで、観察者に立体を知覚させることができる。
【０００３】
３Ｄ映像を観察する方法としては、例えば、異なる偏光方向を有する左目用映像と右目用映像を重ねて投影し、この映像を偏光フィルタからなる立体映像観察用レンズを用いて観察する方法がある。また、左右異なる角度から撮影した映像を交互に再生し、左右の視界が交互に遮蔽される液晶シャッターからなる立体映像観察用レンズを備えた立体映像観察用眼鏡で観察する方法もある（例えば、特許文献１参照）。
【先行技術文献】
【特許文献】
【０００４】
【特許文献１】特開平９−５９０４号公報
【発明の概要】
【発明が解決しようとする課題】
【０００５】
しかしながら、従来の偏光フィルタを有する立体映像観察用眼鏡や液晶シャッターを備えた立体映像観察用眼鏡は、使用者の視力を調節するための屈折補正の効果を有していなかった。そのため、視力を調節する屈折補正用の眼鏡が必要な人は、屈折補正用の眼鏡を装着した状態で、屈折補正用の眼鏡の上から立体映像観察用眼鏡を装着しなければならなかった。その結果、２つの眼鏡を装着するため、重く、互いの眼鏡がずれやすくなる、という問題を有していた。更に、立体映像観察用眼鏡の立体映像観察用レンズと屈折補正用眼鏡のレンズが接触することで双方のレンズに傷がつくおそれがある、という問題も有していた。
【０００６】
本発明の目的は、上記の問題点を考慮し、立体映像を観察できるだけでなく屈折補正の機能を併せ持つ立体映像観察用眼鏡を提供することにある。
【課題を解決するための手段】
【０００７】
上記課題を解決し、本発明の目的を達成するため、本発明の立体映像観察用眼鏡は、表示部に表示された立体映像を観察可能な立体映像観察用レンズと、立体映像観察用レンズを保持するフレーム本体と、を備えている。また、立体映像観察用レンズにおける使用者側の一面又は表示部側の他面のうち少なくともどちらか一方に設けられ、使用者に応じた処方度数を有する屈折補正用レンズと、を備えている。そして、屈折補正用レンズにおける立体映像観察用レンズの一面又は他面と対向する対向面は、立体映像観察用レンズにおける対向する面に沿った形状に形成されている。
【０００８】
また、屈折補正用レンズは、立体映像観察用レンズの前記一面側に設けられており、対向面と反対側の面は、凹面状に形成されている。これにより、屈折補正用レンズにマイナスの処方度数を付与することができる。
【０００９】
更に、前記屈折補正用レンズは、立体映像観察用レンズの他面側に設けられており、対向面と反対側の面は、凸面状に形成されている。なお、凸面状に形成された面を有する前記屈折補正用レンズは、累進屈折レンズ又は多焦点レンズである。これにより、遠近両用の眼鏡として用いることができる。
【００１０】
また、屈折補正用レンズには、係合部が設けられており、フレーム本体には、係合部と係合する係合爪が設けられている。よって、屈折補正用レンズをフレーム本体に容易に固定することが可能となる。
【００１１】
更に、屈折補正用レンズと立体映像観察用レンズとの間には、屈折補正用レンズと立体映像観察用レンズを密着させる充填剤が設けられている。そのため、屈折補正用レンズと立体映像観察用レンズの隙間を埋めることができる。
【００１２】
なお、屈折補正用レンズは、その光学中心が使用者の目の位置に合わせてその位置を調節することが好ましい。
【発明の効果】
【００１３】
本発明の立体映像観察用眼鏡によれば、立体映像を観察可能な立体映像観察用レンズに屈折補正用レンズを近接さえて設けている。そのため、立体映像観察用眼鏡と屈折補正用の眼鏡の２つの眼鏡を装着する必要がなくなり、１つの眼鏡で立体映像を観察できると共に、使用者に応じた処方度数を有する屈折補正用レンズによって使用者に綺麗な立体映像を観察させることが可能となる。
【００１４】
また、屈折補正用レンズにおける立体映像観察用レンズと対向する対向面を、立体映像観察用レンズの対向する面に沿った形状に形成している。これにより、屈折補正用レンズを立体映像観察用レンズにより接近させた状態で配置することができる。
【図面の簡単な説明】
【００１５】
【図１】本発明の第１の実施の形態例にかかる立体映像観察用眼鏡を示す断面図である。
【図２】本発明の第１の実施の形態例にかかる立体映像観察用眼鏡の屈折補正用レンズの固定方法を示す説明図である。
【図３】本発明の第２の実施の形態例にかかる立体映像観察用眼鏡を示す断面図である。
【図４】本発明の第３の実施の形態例にかかる立体映像観察用眼鏡を示す断面図である。
【図５】本発明の第３の実施の形態例にかかる立体映像観察用眼鏡の立体映像観察用レンズと屈折補正用レンズを拡大して示す断面図である。
【図６】本発明の第４の実施の形態例にかかる立体映像観察用眼鏡を示す断面図である。
【図７】本発明の第４の実施の形態例にかかる立体映像観察用眼鏡の立体映像観察用レンズと屈折補正用レンズを拡大して示す断面図である。
【発明を実施するための形態】
【００１６】
以下、本発明の立体映像観察用眼鏡の実施形態例について、図１〜図７を参照して説明する。なお、各図において共通の部材には、同一の符号を付している。また、本発明は、以下の形態に限定されるものではない。
なお、説明は以下の順序で行う。
１．第１の実施の形態例
１−１．立体映像観察用眼鏡の構成例
２．第２の実施の形態例
３．第３の実施の形態例
４．第４の実施の形態例
【００１７】
＜１．第１の実施の形態例＞
１−１．立体映像観察用眼鏡の構成例
まず、図１〜図２を参照して本発明の第１の実施の形態例（以下、「本例」という。）にかかる立体映像観察用眼鏡について説明する。
図１は本例の立体映像観察用眼鏡を示す断面図、図２は本例の立体映像観察用眼鏡にかかる屈折補正用レンズの固定方法を示す説明図である。
【００１８】
本例の立体映像観察用眼鏡１は、人間の左目と右目の両眼視差を利用して表示部に映し出された立体映像を観察することで、使用者に立体映像を体感させる眼鏡である。また、本例の立体映像観察用眼鏡１は、左右の視界が交互に遮蔽される液晶シャッター式の眼鏡である。
【００１９】
図１に示すように、本例の立体映像観察用眼鏡１は、フレーム本体２と、フレーム本体２に取り付けられた一対の立体映像観察用レンズ３Ｌ，３Ｒと、一対の屈折補正用レンズ４Ｌ，４Ｒと、立体映像観察用レンズ３Ｌ，３Ｒを制御する制御部１１とから構成されている。
【００２０】
フレーム本体２は、レンズが取り付けられるリム６と、使用者の耳に掛ける耳掛部７とを有している。リム６の長手方向の両側には、２つの開口部８Ｌ，８Ｒが設けられており、その中心部には、使用者の鼻に掛かる鼻掛部６ａが設けられている。そして、リム６の長手方向の両端には、耳掛部７が取り付けられている。
【００２１】
また、図２に示すように、リム６における開口部８Ｌ，８Ｒの外縁部には、後述する２つの屈折補正用レンズ４Ｌ，４Ｒの係合部１２と係合する係合爪９が設けられている。そして、リム６に形成された２つの開口部８Ｌ，８Ｒを閉じるように、２つの立体映像観察用レンズ３Ｌ，３Ｒと、２つの屈折補正用レンズ４Ｌ，４Ｒが取り付けられている。
【００２２】
左側立体映像観察用レンズ３Ｌは、リム６の一側に形成された左側開口部８Ｌに配置されており、右側立体映像観察用レンズ３Ｒは、リム６の他側に形成された右側開口部８Ｒに配置されている。この左側立体映像観察用レンズ３Ｌと右側立体映像観察用レンズ３Ｒは、略平板状に形成されており、その両面は略平面である。そして、左側立体映像観察用レンズ３Ｌと右側立体映像観察用レンズ３Ｒは、透過型の液晶シャッターである。
【００２３】
また、この左側立体映像観察用レンズ３Ｌ及び右側立体映像観察用レンズ３Ｒは、それぞれ制御部１１と接続されている。制御部１１は、フレーム本体２の２つの耳掛部７に内蔵されている。そして、制御部１１は、左側立体映像観察用レンズ３Ｌ及び右側立体映像観察用レンズ３Ｒを交互に開閉動作している。その結果、使用者の左右の視界が２つの立体映像観察用レンズ３Ｌ、３Ｒによって交互に遮蔽され、使用者の左目１００Ｌのみに光が透過されたり、右目１００Ｒのみに光が透過されたりする。
【００２４】
なお、左側立体映像観察用レンズ３Ｌ及び右側立体映像観察用レンズ３Ｒを交互に開閉動作するタイミングは、不図示の表示部に表示される右目用画像と左目用画像の切り替えタイミングと同期している。これにより、使用者の左目１００Ｌのみに左目用画像が投影され、右目１００Ｒのみに右目用画像が投影される。そのため、使用者は、立体映像を体感することができる。
【００２５】
更に、左側立体映像観察用レンズ３Ｌにおける使用者側の一面３ａには、左側屈折補正用レンズ４Ｌが対向して配置されており、右側立体映像観察用レンズ３Ｒにおける使用者側の一面３ａには、右側屈折補正用レンズ４Ｒが対向して配置されている。
【００２６】
左側屈折補正用レンズ４Ｌ及び右側屈折補正用レンズ４Ｒは、使用者の処方度数に応じた度数を有するレンズである。なお、本例の左側屈折補正用レンズ４Ｌ及び右側屈折補正用レンズ４Ｒは、処方度数がマイナス度数の屈折補正用レンズであり、凹レンズ状に形成されている。
【００２７】
なお、左側屈折補正用レンズ４Ｌ及び右側屈折補正用レンズ４Ｒは、それぞれ同一の構成を有しているため、ここでは左側屈折補正用レンズ４Ｌについて説明し、右側屈折補正用レンズ４Ｒの説明は省略する。
【００２８】
この左側屈折補正用レンズ４Ｌにおける左側立体映像観察用レンズ３Ｌの一面３ａと対向する対向面４ａは、左側立体映像観察用レンズ３Ｌの一面３ａに沿った形状である略平面状に形成されている。これにより、左側屈折補正用レンズ４Ｌを左側立体映像観察用レンズ３Ｌに近接させて配置することができる。その結果、左側屈折補正用レンズ４Ｌと左側立体映像観察用レンズ３Ｌの隙間を小さくすることができ、左側屈折補正用レンズ４Ｌと左側立体映像観察用レンズ３Ｌとの間にゴミや埃が侵入し難くすることができる。
【００２９】
また、左側屈折補正用レンズ４Ｌにおける対向面４ａと反対側の面４ｂ、すなわち使用者の目１００Ｌと対向する面４ｂは、マイナス度数の処方度数が形成された凹面となっている。そのため、使用者のまつ毛が左側屈折補正用レンズ４Ｌに接触し難くすることができる。また、使用者の目１００Ｌと対向する面４ｂをトロイダル面形状にすることで、乱視度数に対応した屈折補正用レンズとしての効果を得ることができる。
【００３０】
なお、処方度数が形成された凹面を表示部側に形成すると、左側屈折補正用レンズ４Ｌと左側立体映像観察用レンズ３Ｌとの隙間が大きくなるだけでなく、像が外側に広がり、使用者には歪んだ像が投影されるため好ましくない。
【００３１】
また、図２に示すように、左側屈折補正用レンズ４Ｌのコバ面である側面部４ｃには、係合部１２が設けられている。そして、左側屈折補正用レンズ４Ｌの係合部１２とフレーム本体２の係合爪９とを係合することで、左側屈折補正用レンズ４Ｌがフレーム本体２に固定される。
【００３２】
このとき、左側屈折補正用レンズ４Ｌの光学中心Ｑは、使用者の目１００Ｌの位置に合わせて設定されている。この左側屈折補正用レンズ４Ｌの光学中心Ｑを使用者の目１００Ｌの位置に合わせるためには、例えば、使用者の左目１００Ｌと右目１００Ｒの距離ＰＤを測定することで行われる。
【００３３】
なお、屈折補正用レンズ４Ｌ，４Ｒとフレーム本体２とを係合爪９と係合部１２による係合によって固定した例を説明したが、屈折補正用レンズ４Ｌ，４Ｒとフレーム本体２との固定方法は、これに限定されるものではない。例えば、接着材を用いた接着固定やその他各種の固定方法で屈折補正用レンズ４Ｌ，４Ｒをフレーム本体２に固定してもよい。
【００３４】
更に、本例では、左側屈折補正用レンズ４Ｌの対向面４ａを略平面状に形成した例を説明したが、これに限定されるものではない。例えば、左側立体映像観察用レンズ３Ｌの一面３ａが凹面状に形成されている場合、左側屈折補正用レンズ４Ｌの対向面４ａは、左側立体映像観察用レンズ３Ｌの一面３ａに沿った凸面状に形成される。すなわち、左側屈折補正用レンズ４Ｌの対向面４ａは、左側屈折補正用レンズ４Ｌの対向面４ａと対向する左側立体映像観察用レンズ３Ｌの一面３ａに沿った形状に適宜設定されるものである。
【００３５】
また、本例では、屈折補正用レンズ４Ｌ，４Ｒを立体映像観察用レンズ３Ｌ，３Ｒの使用者側の一面３ａに配置した例を説明したが、屈折補正用レンズ４Ｌ，４Ｒを立体映像観察用レンズ３Ｌ，３Ｒの表示部側の他面３ｂに配置してもよい。
【００３６】
しかしながら、屈折補正用レンズ４Ｌ，４Ｒを立体映像観察用レンズ３Ｌ，３Ｒの表示部側に配置すると、使用者の左右の目１００Ｌ，１００Ｒと屈折補正用レンズ４Ｌ，４Ｒとの距離が遠くなる。そして、使用者の左右の目１００Ｌ，１００Ｒと屈折補正用レンズ４Ｌ，４Ｒとの距離が遠くなると、屈折補正用レンズ４Ｌ，４Ｒを通して見える視界が狭くなる。また、屈折補正用レンズ４Ｌ，４Ｒがマイナス度数のレンズであるため、立体映像は、屈折補正用レンズ４Ｌ，４Ｒを使用者側に配置した時よりも、さらに縮小されて観察される。
【００３７】
このとき、屈折補正用レンズ４Ｌ，４Ｒにおける立体映像観察用レンズ３Ｌと対向する対向面に処方度数を有する凹面を形成すると、屈折補正用レンズ４Ｌ，４Ｒと立体映像観察用レンズ３Ｌ，３Ｒとの隙間が大きくなり、ゴミや埃が侵入し易くなる。また、屈折補正用レンズ４Ｌ，４Ｒにおける表示部側の面に処方度数を有する凹面を形成すると、上述したように、像が湾曲されて観察されるようになる。
【００３８】
よって、屈折補正用レンズ４Ｌ，４Ｒを通して見える視界を広くし、より自然な立体映像を使用者に体感させるためには、使用者の左右の目１００Ｌ，１００Ｒと屈折補正用レンズ４Ｌ，４Ｒとの距離を近づけることが好ましい。そのため、屈折補正用レンズ４Ｌ，４Ｒは、立体映像観察用レンズ３Ｌ，３Ｒにおける表示部側の他面３ｂよりも使用者側の一面３ａに配置するほうが好ましい。
【００３９】
上述したように、本例の立体映像観察用眼鏡１によれば、フレーム本体２に立体映像観察用レンズと、屈折補正用レンズとを一体に設けている。これにより、立体映像を観察可能な立体映像観察用眼鏡に屈折補正の機能を付与することができる。その結果、１つの眼鏡で立体映像を観察できると共に、使用者に応じた処方度数を有する屈折補正用レンズによって使用者に綺麗な立体映像を観察させることが可能となる。
【００４０】
よって、従来の立体観察用眼鏡のように、屈折補正用の眼鏡と立体映像観察用眼鏡の２つの眼鏡を装着する必要がなくなり、使用者にとって軽く、互いの眼鏡がずれるおそれがない。更に、立体映像観察用レンズと屈折補正用レンズをフレーム本体２に一体に固定しているため、立体映像観察用レンズと屈折補正用レンズが互いに擦れてレンズに傷がつくことを防止することができる。
【００４１】
＜２．第２の実施の形態例＞
次に、図３を参照して本発明の立体映像観察用眼鏡の第２の実施の形態例について説明する。
図３は、第２の実施の形態例にかかる立体映像観察用眼鏡を示す断面図である。
【００４２】
この第２の実施の形態例にかかる立体映像観察用眼鏡２１が第１の実施の形態例にかかる立体映像観察用眼鏡１と異なる点は、屈折補正用レンズの処方度数がプラス度数又は遠近両用レンズとして累進屈折レンズや多焦点レンズを用いた点である。そのため、ここでは、屈折補正用レンズについて説明し、第１の実施の形態例にかかる立体映像観察用眼鏡１と共通する部分には同一の符号を付して重複した説明を省略する。
【００４３】
図３に示すように、立体映像観察用眼鏡２１は、フレーム本体２２と、一対の立体映像観察用レンズ２３Ｌ，２３Ｒと、一対の屈折補正用レンズ群２４Ｌ，２４Ｒと、制御部１１とから構成されている。
【００４４】
左側屈折補正用レンズ群２４Ｌは、左側立体映像観察用レンズ２３Ｌ側に配置されており、右側屈折補正用レンズ群２４Ｒは、右側立体映像観察用レンズ２３Ｒ側に配置されている。なお、左側屈折補正用レンズ群２４Ｌ及び右側屈折補正用レンズ群２４Ｒは、それぞれ同一の構成を有しているため、ここでは左側屈折補正用レンズ群２４Ｌについて説明し、右側屈折補正用レンズ群２４Ｒの説明は省略する。
【００４５】
左側屈折補正用レンズ群２４Ｌは、第１の屈折補正用レンズ２４Ａと、第２の屈折補正用レンズ２４Ｂとを有している。第１の屈折補正用レンズ２４Ａは、左側立体映像観察用レンズ２３Ｌにおける使用者側に配置されており、第２の屈折補正用レンズ２４Ｂは、左側立体映像観察用レンズ２３Ｌにおける表示部側に配置されている。
【００４６】
第２の屈折補正用レンズ２４Ｂにおける左側立体映像観察用レンズ２３Ｌの他面２３ｂと対向する対向面２４Ｂａは、左側立体映像観察用レンズ２３Ｌの他面２３ｂに沿って、略平面状に形成されている。そして、第２の屈折補正用レンズ２４Ｂにおける表示部側の面２４Ｂｂは、凸面状に形成されており、プラスの処方度数、又は、累進屈折レンズ、多焦点レンズとなっている。なお、第２の屈折補正用レンズ２４Ｂを累進屈折レンズ又は多焦点レンズとすることで、遠近両用の眼鏡にすることができる。
【００４７】
また、第２の屈折補正用レンズ２４Ｂは、不図示の係合爪と係合部との係合による固定、又は接着材を用いた接着固定等によってフレーム本体２２に固定されている。
【００４８】
第１の屈折補正用レンズ２４Ａは、調整用の屈折補正用レンズである。そして、この第１の屈折補正用レンズ２４Ａは、側面部２４Ａｃに設けた係合部２７とフレーム本体２に設けた係合爪２９が係合することで、フレーム本体２２に取り付けられている。また、この第１の屈折補正用レンズ２４Ａにおけるその他の構成は、第１の実施の形態例にかかる左側屈折補正用レンズ４Ｌと同様であるため、その説明は省略する。
【００４９】
更に、第１の屈折補正用レンズ２４Ａと、第２の屈折補正用レンズ２４Ｂのどちらか一方を色収差補正レンズとしてもよい。これにより、光の波長の違いによって生じる像ずれを防止することができ、より鮮明な立体映像を体感することができる。
【００５０】
なお、本例では、左側屈折補正用レンズ群２４Ｌを、第１の屈折補正用レンズ２４Ａと、第２の屈折補正用レンズ２４Ｂで構成した例を説明したが、処方度数が十分であれば、第２の屈折補正用レンズ２４Ｂだけでもよい。
【００５１】
ここで、凸レンズである第２の屈折補正用レンズ２４Ｂを左側立体映像観察用レンズ２３Ｌにおける使用者側に配置してもよい。しかしながら、凸面を左側立体映像観察用レンズ２３Ｌの一面２３ａ側に向けると、第２の屈折補正用レンズ２４Ｂと左側立体映像観察用レンズ２３Ｌの隙間が大きくなる。また、第２の屈折補正用レンズ２４Ｂの凸面を使用者側に向けると、使用者のまつ毛と第２の屈折補正用レンズ２４Ｂが接触するおそれがある。そのため、第２の屈折補正用レンズ２４Ｂは、左側立体映像観察用レンズ２３Ｌにおける表示部側に配置することが好ましい。
【００５２】
その他の構成は、上述した第１の実施の形態例にかかる立体映像観察用眼鏡１と同様であるため、それらの説明は省略する。このような構成を有する立体映像観察用眼鏡２１によっても、上述した第１の実施の形態例にかかる立体映像観察用眼鏡２１と同様の作用及び効果を得ることができる。
【００５３】
＜３．第３の実施の形態例＞
次に、図４及び図５を参照して本発明の立体映像観察用眼鏡の第３の実施の形態例について説明する。
図４は第３の実施の形態例にかかる立体映像観察用眼鏡を示す断面図、図５は第３の実施の形態例にかかる立体映像観察用レンズと屈折補正用レンズを拡大して示す断面図である。
【００５４】
この第３の実施の形態例にかかる立体映像観察用眼鏡３１が第１の実施の形態例にかかる立体映像観察用眼鏡１と異なる点は、屈折補正用レンズの固定方法である。そのため、ここでは、屈折補正用レンズの固定方法について説明し、第１の実施の形態例にかかる立体映像観察用眼鏡１と共通する部分には同一の符号を付して重複した説明を省略する。
【００５５】
図４及び図５に示すように、一対の屈折補正用レンズ３４Ｌ，３４Ｒは、フレーム本体３２ではなく、一対の立体映像観察用レンズ３３Ｌ，３３Ｒに接着剤３７を介して接着固定されている。具体的には、左側屈折補正用レンズ３４Ｌの対向面３４ａは、左側立体映像観察用レンズ３３Ｌにおける使用者側の一面３３ａに接着されている。同様に、右側屈折補正用レンズ３４Ｒの対向面３４ａは、右側立体映像観察用レンズ３３Ｒにおける使用者側の一面３３ａに接着されている。
【００５６】
その他の構成は、上述した第１の実施の形態例にかかる立体映像観察用眼鏡１と同様であるため、それらの説明は省略する。このような構成を有する立体映像観察用眼鏡３１によっても、上述した第１の実施の形態例にかかる立体映像観察用眼鏡１と同様の作用及び効果を得ることができる。
【００５７】
なお、この第３の実施の形態例にかかる立体映像観察用眼鏡３１によれば、充填剤の一例を示す接着剤３７によって屈折補正用レンズ３４Ｌ，３４Ｒの対向面３４ａと立体映像観察用レンズ３３Ｌ，３３Ｒの一面３３ａを密着させている。すなわち、屈折補正用レンズ３４Ｌ，３４Ｒと立体映像観察用レンズ３３Ｌ，３３Ｒの隙間が接着剤３７によって埋められている。これにより、屈折補正用レンズ３４Ｌ，３４Ｒと立体映像観察用レンズ３３Ｌ，３３Ｒの隙間にゴミや埃が侵入することを効果的に防止することができる。
【００５８】
また、屈折補正用レンズ３４Ｌ，３４Ｒと立体映像観察用レンズ３３Ｌ，３３Ｒを密着させることで、屈折補正用レンズ３４Ｌ，３４Ｒの対向面３４ａで反射する光を軽減させることができる。その結果、屈折補正用レンズ３４Ｌ，３４Ｒを透過して使用者の両目１００Ｌ，１００Ｒに到達する光の量を増やすことができ、明るい立体映像を使用者に知覚させることが可能となる。
【００５９】
＜４．第４の実施の形態例＞
次に、図６及び図７を参照して本発明の立体映像観察用眼鏡の第４の実施の形態例について説明する。
図６は、第４の実施の形態例にかかる立体映像観察用眼鏡を示す断面図、図７は、第４の実施の形態例にかかる立体映像観察用レンズと屈折補正用レンズを拡大して示す断面図である。
【００６０】
この第４の実施の形態例にかかる立体映像観察用眼鏡４１は、上述した第２の実施の形態例にかかる立体映像観察用眼鏡２１の屈折補正用レンズと立体映像観察用レンズを、第３の実施の形態例にかかる立体映像観察用眼鏡３１と同様に、接着固定したものである。そのため、ここでは、屈折補正用レンズの固定方法について説明し、第２の実施の形態例にかかる立体映像観察用眼鏡２１及び第３の実施の形態例にかかる立体映像観察用眼鏡３１と共通する部分には同一の符号を付して重複した説明を省略する。
【００６１】
図６に示すように、立体映像観察用眼鏡４１は、一対の立体映像観察用レンズ４３Ｌ，４３Ｒと、一対の屈折補正用レンズ群４４Ｌ，４４Ｒを有している。なお、左側屈折補正用レンズ群４４Ｌ及び右側屈折補正用レンズ群４４Ｒは、それぞれ同一の構成を有しているため、ここでは左側屈折補正用レンズ群４４Ｌについて説明し、右側屈折補正用レンズ群４４Ｒの説明は省略する。
【００６２】
左側屈折補正用レンズ群４４Ｌは、凹面を有する第１の屈折補正用レンズ４４Ａと、凸面を有する第２の屈折補正用レンズ４４Ｂとから構成されている。第１の屈折補正用レンズ４４Ａは、左側立体映像観察用レンズ４３Ｌにおける使用者側に配置されており、第２の屈折補正用レンズ４４Ｂは、左側立体映像観察用レンズ４３Ｌにおける表示部側に配置されている。
【００６３】
図７に示すように、第１の屈折補正用レンズ４４Ａと第２の屈折補正用レンズ４４Ｂは、接着材４７を用いて左側立体映像観察用レンズ４３Ｌに接着固定されている。すなわち、第１の屈折補正用レンズ４４Ａの対向面４４Ａａが、左側立体映像観察用レンズ４３Ｌにおける使用者側の一面４３ａに接着されている。そして、第２の屈折補正用レンズ４４Ｂの対向面４４Ｂａが、左側立体映像観察用レンズ４３Ｌにおける使用者側の他面４３ｂに接着されている。
【００６４】
その他の構成は、上述した第２の実施の形態例にかかる立体映像観察用眼鏡２１と同様であるため、それらの説明は省略する。このような構成を有する立体映像観察用眼鏡４１によっても、上述した第１〜第３の実施の形態例にかかる立体映像観察用眼鏡１と同様の作用及び効果を得ることができる。
【００６５】
なお、上述した第１の実施の形態例にかかる立体映像観察用眼鏡１及び第２の実施の形態例にかかる立体映像観察用眼鏡２１においても、屈折補正用レンズと立体映像観察用レンズとの隙間に、例えばシリコンオイルからなる充填剤を注入しもよい。これにより、屈折補正用レンズと立体映像観察用レンズとの隙間を無くし、屈折補正用レンズと立体映像観察用レンズを密着させることができる。
【００６６】
なお、本発明は上述しかつ図面に示した実施の形態例に限定されるものではなく、特許請求の範囲に記載した発明の要旨を逸脱しない範囲内で種々の変形実施が可能である。例えば、立体映像観察用レンズとして液晶シャッターを用いた例を説明したが、立体映像観察用レンズとして偏光板を用いてもよい。なお、立体映像観察用レンズとして偏光板を用いる場合、表示部に表示される立体映像は、異なる偏光方向を有する左目用映像と右目用映像が重ね合わさったものである。
【符号の説明】
【００６７】
１，２１，３１，４１…立体映像観察用眼鏡、  ２，２２，３２，４２…フレーム本体、  ３Ｌ，２３Ｌ，３３Ｌ，４３Ｌ…左側立体映像観察用レンズ（立体映像観察用レンズ）、  ３Ｒ，２３Ｒ，３３Ｒ，４３Ｒ…右側立体観察用レンズ（立体映像観察用レンズ）、  ３ａ，２３ａ，３３ａ，４３ａ…一面、  ３ｂ，２３ｂ，４３ｂ…他面、  ４Ｌ，３４Ｌ…左側屈折補正用レンズ（屈折補正用レンズ）、  ４Ｒ，３４Ｒ…右側屈折補正用レンズ（屈折補正用レンズ）、  ４ａ，２４Ａａ，２４Ｂａ，３４ａ，４４Ａａ，４４Ｂａ…対向面、  ４ｂ…面、  ４ｃ…側面部、  ６…リム、  ８Ｌ…左側開口部、  ８Ｒ…右側開口部、  ９，２９…係合爪、  １２，２７…係合部、  ２４Ｌ，４４Ｌ…左側屈折補正用レンズ群、  ２４Ｒ，４４Ｒ…右側屈折補正用レンズ群、  ２４Ａ，４４Ａ…第１の屈折補正用レンズ、  ２４Ｂ，４４Ｂ…第２の屈折補正用レンズ、  ３７，４７…接着剤（充填剤）、  １００Ｌ…左目、  １００Ｒ…右目、  Ｑ…光学中心
【図１】
2012078670.tif 000003
【図２】
2012078670.tif 000004
【図３】
2012078670.tif 000005
【図４】
2012078670.tif 000006
【図５】
2012078670.tif 000007
【図６】
2012078670.tif 000008
【図７】
2012078670.tif 000009